(57)【要約】【課題】部品点数の削減により、組立工数の削減と不良発生の低減を図ることを可能にする。【解決手段】撮影情報を表示する表示素子１５と、表示素子１５を背面から照明するバックライト用発光部（１４ａ，１４ｂ，１４ｃ）と一体に構成され、表示素子１５を保持する保持部材１４と、表示素子１５への当接面１６ｃに均等に力が掛かるように押圧可能な押圧部１６ｂを有し、表示素子１５を保持部材１４に固定する固定用バネ部材１６を備える。【選択図】図１
2011034094.tif 000002
【特許請求の範囲】
【請求項１】
撮影情報を表示する表示素子と、前記表示素子を背面から照明するバックライト用発光部と、前記バックライト用発光部と一体に構成され、前記表示素子を保持する保持部材と、を備えたファインダ内表示装置。
【請求項２】
請求項１に記載のファインダ内表示装置において、前記表示素子への当接面に均等に力が掛かるように押圧可能な押圧部を有し、前記表示素子を前記保持部材に固定する固定部材を備えること、を特徴とするファインダ内表示装置。
【請求項３】
請求項２に記載のファインダ内表示装置において、前記固定部材は、前記表示素子と前記保持部材とを挟み込む断面略コの字形状の部材であること、を特徴とするファインダ内表示装置。
【請求項４】
撮影情報を表示する表示素子と、前記表示素子を背面から照明するバックライト用発光部と、前記表示素子と前記バックライト用発光部とを保持する保持部材と、前記表示素子への当接面に均等に力が掛かるように押圧可能な押圧部を有し、前記表示素子を前記保持部材に固定する固定部材と、を備えたファインダ内表示装置。
【請求項５】
請求項４に記載のファインダ内表示装置において、前記固定部材は、前記表示素子と前記保持部材とを挟み込む断面略コの字形状の部材であること、を特徴とするファインダ内表示装置。
【発明の詳細な説明】
【技術分野】
【０００１】
本発明は、一眼レフカメラ等において、ファインダ視野枠外に撮影情報を表示するファインダ内表示装置に関するものである。
【背景技術】
【０００２】
図６は、一眼レフカメラのファインダを、従来例によるファインダ内表示装置の配置と共に示した図、図７は、従来例によるファインダ内表示装置を示した縦断面図、図８は、同装置を示した横断面図（図７のＢ−Ｂ断面図）である。ファインダ光学系は、図示しない撮影レンズより入射し、反射ミラー１によって反射されスクリーン２に結像された撮影像を、反射ミラー３、４、接眼レンズ５〜７を通して観察することができる。
【０００３】
ファインダ内表示装置は、表示素子３３を含み、その表示素子３３内の撮影情報である表示文字をプリズム１０によって反射させ、反射ミラー３、４によって接眼レンズ５〜７に導き、接眼レンズ５〜７によって拡大、観察することができる。図６の場合には、ファインダ視野枠下方に撮影情報が表示されることになる。
【０００４】
ファインダ光学系の周辺には、このファインダ内表示装置の他にも、集光レンズ８、測光素子９を含む測光光学系がある。そして、スクリーン２、押さえバネ１３、反射ミラー３、４、プリズム１０及び接眼レンズ５〜７等を保持するレンズ保持枠１２、及び、前記測光光学系が保持枠１１内の所定位置に規制され、保持されているが、このファインダ内表示装置は、カメラの大型化を伴うことなく配置可能な位置に設けられている。
【０００５】
このファインダ内表示装置は、図７に示すように、液晶等を用いた表示素子３３と、その表示素子を背面から照明するバックライト用発光部３２と、表示素子３３とバックライト用発光部３２とを固定する保持部材３１等とを備えたものが知られている。バックライト用発光部３２は、発光窓部３２ａと、発光素子３２ｂと、発光素子３２ｂに給電する回路部３２ｃ等とからなり、保持部材３１に固定されている。
【０００６】
表示素子３３は、フレキシブルプリント基板３７に対して、導電性ゴム３６を介して導通可能に配置されており、固定部材３４，３５によって、保持部材３１に固定されている。フレキシブルプリント基板３７は、表示パターンを制御する制御回路部（不図示）に、表示素子３３を接続する可撓性のある基板である。
【０００７】
図８に示すように、固定部材３４、３５は、表示素子３３，導電性ゴム３６及びフレキシブルプリント基板３７を挟んで、両端支持の方法により、ビス３８で保持部材３１に固定されている。この保持部材３１は、図６に示すように、保持枠１１に固定される。
【発明の概要】
【発明が解決しようとする課題】
【０００８】
最近のカメラ部品は、省スペース化をはかると共に、組み立て作業性の向上や組み立て不良率の低減をも見込むことが求められている。しかし、前述した従来の技術では、各構成部品は、文字を表示する表示素子３３と、その文字を見やすくするバックライト用発光部３２と、これらを保持するための保持部材３１等というように、個々の部品が単機能であり、部品点数も多くなっている。したがって、部品点数が多いことによって、組立工数が増え、それだけ不良発生率も多くなっていた。
【０００９】
また、表示素子３３の固定方法としても、従来より採用している両端支持の方法では、固定部材３５が導電性ゴム３６を押圧するときに、その剛性によっては、図８に示すように、弓状の変形を起こし、ガラス材で構成されている表示素子３３に不均一な力が加わることになり、表示素子３３が割れるという不良原因の一つとなっている。しかし、固定部材３５は、むやみに厚くして剛性を高めると、スペースを取るとともに、軽量化にも反することになる。
【００１０】
本発明の課題は、部品点数の削減により、組立工数の削減と不良発生の低減を図ることができるファインダ内表示装置を提供することである。
【課題を解決するための手段】
【００１１】
前記課題を解決するために、請求項１の発明は、撮影情報を表示する表示素子（１５）と、前記表示素子を背面から照明するバックライト用発光部（１４ａ，１４ｂ，１４ｃ）と、前記バックライト用発光部と一体に構成され、前記表示素子を保持する保持部材（１４）と、を備えたファインダ内表示装置である。
請求項２の発明は、請求項１に記載のファインダ内表示装置において、前記表示素子への当接面（１６ｃ）に均等に力が掛かるように押圧可能な押圧部（１６ｂ）を有し、前記表示素子を前記保持部材に固定する固定部材（１６）を備えること、を特徴とするファインダ内表示装置である。
請求項３の発明は、請求項２に記載のファインダ内表示装置において、前記固定部材は、前記表示素子と前記保持部材とを挟み込む断面略コの字形状の部材であること、を特徴とするファインダ内表示装置である。
請求項４の発明は、撮影情報を表示する表示素子（１５）と、前記表示素子を背面から照明するバックライト用発光部（１４ａ，１４ｂ，１４ｃ）と、前記表示素子と前記バックライト用発光部とを保持する保持部材（１４）と、前記表示素子への当接面に均等に力が掛かるように押圧可能な押圧部を有し、前記表示素子を前記保持部材に固定する固定部材（１６）と、を備えたファインダ内表示装置である。
請求項５の発明は、請求項４に記載のファインダ内表示装置において、前記固定部材は、前記表示素子と前記保持部材とを挟み込む断面略コの字形状の部材であること、を特徴とするファインダ内表示装置である。
【発明の効果】
【００１２】
本発明によれば、保持部材に発光部と保持部の両方の機能を備えるようにしたので、部品点数の削減を図り、組立工数の削減と、不良率の低減が可能となった。
また、固定部材、例えば、断面略コの字形状により固定するようにしたので、部品点数の削減による組立性が改善されると共に、押圧部で表示素子への当接面に均等に力が掛かるようにしたので、表示素子の割れ等の不良を低減させることができる。従って、部品点数の削減による組立工数の削減と不良発生の低減を図ることができる、という効果がある。
【図面の簡単な説明】
【００１３】
【図１】本発明によるファインダ内表示装置の第１実施形態を示した分解斜視図である。
【図２】本発明によるファインダ内表示装置の第１実施形態を示した断面図である。
【図３】本発明によるファインダ内表示装置の第１実施形態を示した背面図である。
【図４】図２のＢ−Ｂ断面図である。
【図５】本発明によるファインダ内表示装置の第２実施形態を示した背面図である。
【図６】従来例によるファインダ内表示装置の配置を示した図である。
【図７】従来例によるファインダ内表示装置の構成を示した縦断面図である。
【図８】従来例によるファインダ内表示装置を示した横断面図である。
【発明を実施するための形態】
【００１４】
以下、図面などを参照しながら、本発明の実施の形態をあげて、さらに詳しく説明する。
（第１実施形態）
図１〜図４は、本発明によるファインダ内表示装置の第１実施形態を示した図であって、図１は分解斜視図、図２は断面図、図３は背面図、図４は図２のＡ−Ａ断面図である。なお、第１実施形態のファインダ内表示装置は、ファインダ光学系に対する配置の位置は、従来例（図６）と同様であるので、図６に対応する図面は省略する。第１実施形態のファインダ内表示装置は、保持部材１４と、表示素子１５と、固定用バネ部材１６と、導電性ゴム１７と、フレキシブルプリント基板１８等とを備えている。
【００１５】
保持部材１４は、バックライト用発光部が一体に構成され、表示素子１５を保持する発光部兼用保持部材であり、発光窓部１４ａが設けられ、発光ダイオード（ＬＥＤ）等の発光素子１４ｂと、その発光素子１４ｂを発光させる回路部１４ｃとが組み込まれている。
発光窓部１４ａには、発光素子１４ｂから発光された光によって、その前方に配置された表示素子１５の文字等の表示部を均一に照射するために、拡散剤を混ぜた樹脂製の導光部材が配置されている。また、発光素子１４ｂの周辺には、発光素子１４ｂの光を効率よく発光窓部１４ａに導いて照射させるために、反射率の高い白色の部材を用いることが好ましいので、前記導光部材を含む本実施形態の保持部材１４は、白色の遮光性の高い樹脂によって作製されている。
【００１６】
表示素子１５は、撮影情報の表示を行なう素子であり、液晶表示素子（ＬＣＤ）等を用いて文字等を表示する表示部が設けられている。表示素子１５は、裏面下側に接続端子１５ａが設けられている。
【００１７】
固定用バネ部材１６は、保持部材１４に表示素子１５を固定するための部材であり、表示素子１５への当接面１６ｃに均等に力が掛かるように押圧可能な押圧部１６ｂを有している。この固定用バネ部材１６は、断面略コの字形状の部材であり、図２に示すように、表示素子１５と導電性ゴム１７、そして、その断面略コの字形状の部分によって、フレキシブルプリント基板１８の３者が当接する範囲を越えて、これらを挟み込むようにして押圧、固定する。
【００１８】
導電性ゴム１７は、保持部材１４の接続窓部１４ｅに嵌め込まれ、表示素子１５の接続端子１５ａと、フレキシブルプリント基板１８の接続端子１８ａとを導通させる部材である。
【００１９】
フレキシブルプリント基板１８は、発光素子１４ｂへの電源供給を行うと共に、表示素子１５へ表示文字制御回路（不図示）からの制御信号を接続するための可撓性のある基板である。
【００２０】
次に、第１実施形態のファインダ内表示装置の組立手順を説明する。まず、保持部材１４の接続窓部１４ｅに導電性ゴム１７を挿入して、表側に表示素子１５を配置し、裏側に、フレキシブルプリント基板１８を配置し、図２，図４に示すように、両者を導通可能に組み込む。
【００２１】
ついで、固定用バネ部材１６を保持部材１４の下側から挿入して、図１，図３に示した固定用バネ部材１６の爪部１６ａと、保持部材１４に設けた係止部１４ｄとを係合させて、脱落防止及び固定位置の規制を行う。
【００２２】
このように、第１実施形態によれば、保持部材１４は、従来の発光部としての機能と、構成部品を保持する機能とを一体で構成するようにしたので、部品を多機能化させて、部品点数の削減を図り、組立工数の削減と、不良率の低減が可能となった。
【００２３】
また、従来の２部品の固定部材を用いてビス止めによって両端支持固定していた固定方法を、断面略コの字形状のバネ部材である固定用バネ部材１６の１部品により固定し、かつ、押圧部１６ｂで表示素子１５への当接面１６ｃに均等に力が掛かるようにした（図４参照）ので、部品点数削減による組立性改善、及び、素子の割れ対策による不良低減を図ることができる。
【００２４】
（第２実施形態）
図５は、本発明によるファインダ内表示装置の第２実施形態を示した背面図である。第２実施形態では、固定用バネ部材４１は、少なくとも１つのスリット４１ａ（この実施形態では、２つ）を設けた櫛歯形状のものを用いている。これは、第１実施形態で示したスリットがない形状の固定用バネ部材１６では、押圧部の幅が広い場合には、部品単体での表示素子への当接面１６ｃと押圧部１６ｂとの間隔が不均一になりやすく、寸法精度が悪くなるという問題を避けるための形状にしているものであるが、第１実施形態と同様の効果があることに加え、部品の寸法管理がしやすい、という効果がある。
【００２５】
（変形形態）
以上説明した実施形態に限定されることなく、種々の変形や変更が可能であって、それらも本発明の均等の範囲内である。例えば、保持部材１４は、前記導光部材のみを白色とし、それ以外については黒色の樹脂を用いた２色成型法で成形することも可能である。この場合には、周辺部への光漏れを防止する遮光性を高めるという効果がある。
【００２６】
また、保持部材１４は、発光窓部１４ａが設けられ、発光素子１４ｂと、その発光素子１４ｂを発光させる回路部１４ｃとが組み込まれている例で説明したが、発光窓部１４ａ、発光素子１４ｂ及び回路部１４ｃ等をユニット化して、保持部材１４に組み込んで固定用バネ部材１６で固定してもよい。
【符号の説明】
【００２７】
１４：保持部材、１５：表示素子、１６：固定用バネ部材、１７：導電性ゴム、１８：フレキシブルプリント基板
【図１】
2011034094.tif 000003
【図２】
2011034094.tif 000004
【図３】
2011034094.tif 000005
【図４】
2011034094.tif 000006
【図５】
2011034094.tif 000007
【図６】
2011034094.tif 000008
【図７】
2011034094.tif 000009
【図８】
2011034094.tif 000010
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
撮影情報を表示する表示素子と、
柔軟性を有するフレキシブル基板と、
前記表示素子を背面から照明するバックライト用発光部と、
貫通孔を有し前記バックライト用発光部と一体に構成され、前記表示素子と前記フレキシブル基板とに挟まれて備えられる保持部材と、
前記表示素子と前記フレキシブル基板とに挟まれ前記貫通孔に対応する部分に備えられる導電性ゴムと、
前記表示素子に当接して押圧可能な当接面を有する当接部と前記当接面の中央部に対向する押圧部とを有し、該押圧部によって前記当接面に均等に力が掛かるように押圧して前記当接部と前記保持部材とで前記表示素子を狭持して固定する断面略コの字形状の固定用バネ部材とを備え、
前記導電性ゴムは、前記押圧部に対応する位置に備えられ、前記押圧部に押圧され前記表示素子と前記フレキシブル基板と電気的に導通させることを特徴とするファインダ内表示装置。
【請求項２】
請求項１に記載されたファインダ内表示装置であって、
前記表示素子は長方形であり、
前記固定用バネ部材は、前記表示素子の長辺に沿って備えられ前記当接部と前記押圧部とを連結する連結部を有することを特徴とするファインダ内表示装置。
【請求項３】
請求項２に記載されたファインダ内表示装置であって、
前記当接部及び前記押圧部は、前記表示素子の長辺に沿って備えられていることを特徴とするファインダ内表示装置。
【請求項４】
請求項３に記載されたファインダ内表示装置であって、
前記導電性ゴムは、前記表示素子の長辺に沿った方向の長さが、前記表示素子の長辺と交差する方向の長さよりも長いことを特徴とするファインダ内表示装置。
【請求項５】
請求項１から請求項４までの何れか１項に記載されたファインダ内表示装置を有することを特徴とするカメラ。
【手続補正３】
【補正対象書類名】明細書
【補正対象項目名】００１１
【補正方法】変更
【補正の内容】
【００１１】
前記課題を解決するために、請求項１の発明は、撮影情報を表示する表示素子（１５）と、柔軟性を有するフレキシブル基板（１８）と、前記表示素子を背面から照明するバックライト用発光部（１４ａ〜１４ｃ）と、貫通孔（１４ｅ）を有し前記バックライト用発光部と一体に構成され、前記表示素子と前記フレキシブル基板とに挟まれて備えられる保持部材（１４）と、前記表示素子と前記フレキシブル基板とに挟まれ前記貫通孔に対応する部分に備えられる導電性ゴム（１７）と、前記表示素子に当接して押圧可能な当接面を有する当接部（１６ｃ）と前記当接面の中央部に対向する押圧部（１６ｂ）とを有し、該押圧部によって前記当接面に均等に力が掛かるように押圧して前記当接部と前記保持部材とで前記表示素子を狭持して固定する断面略コの字形状の固定用バネ部材（１６）とを備え、前記導電性ゴムは、前記押圧部（１６ｂ）に対応する位置に備えられ、前記押圧部（１６ｂ）に押圧され前記表示素子と前記フレキシブル基板と電気的に導通させることを特徴とするファインダ内表示装置である。
請求項２の発明は、請求項１に記載されたファインダ内表示装置であって、前記表示素子（１５）は長方形であり、前記固定用バネ部材（１６）は、前記表示素子の長辺に沿って備えられ前記当接部（１６ｃ）と前記押圧部（１６ｂ）とを連結する連結部を有することを特徴とするファインダ内表示装置である。
請求項３の発明は、請求項２に記載されたファインダ内表示装置であって、前記当接部（１６ｃ）及び前記押圧部（１６ｂ）は、前記表示素子（１５）の長辺に沿って備えられていることを特徴とするファインダ内表示装置である。
請求項４の発明は、請求項３に記載されたファインダ内表示装置であって、前記導電性ゴム（１７）は、前記表示素子（１５）の長辺に沿った方向の長さが、前記表示素子の長辺と交差する方向の長さよりも長いことを特徴とするファインダ内表示装置である。
請求項５の発明は、請求項１から請求項４までの何れか１項に記載されたファインダ内表示装置を有することを特徴とするカメラである。
【手続補正４】
【補正対象書類名】明細書
【補正対象項目名】００１２
【補正方法】変更
【補正の内容】
【００１２】
本発明は、撮影情報を表示する表示素子と、柔軟性を有するフレキシブル基板と、前記表示素子を背面から照明するバックライト用発光部と、貫通孔を有し前記バックライト用発光部と一体に構成され、前記表示素子と前記フレキシブル基板とに挟まれて備えられる保持部材と、前記表示素子と前記フレキシブル基板とに挟まれ前記貫通孔に対応する部分に備えられる導電性ゴムと、前記表示素子に当接して押圧可能な当接面を有する当接部と前記当接面の中央部に対向する押圧部とを有し、該押圧部によって前記当接面に均等に力が掛かるように押圧して前記当接部と前記保持部材とで前記表示素子を狭持して固定する断面略コの字形状の固定用バネ部材とを備え、前記導電性ゴムは、前記押圧部に対応する位置に備えられ、前記押圧部に押圧され前記表示素子と前記フレキシブル基板と電気的に導通させるので、部品点数の削減を図り、組立工数の削減と、不良率の低減が可能となった。
また、固定部材、例えば、断面略コの字形状により固定するようにしたので、部品点数の削減による組立性が改善されると共に、押圧部で表示素子への当接面に均等に力が掛かるようにしたので、表示素子の割れ等の不良を低減させることができる。従って、部品点数の削減による組立工数の削減と不良発生の低減を図ることができる、という効果がある。